(57)【特許請求の範囲】
【請求項１】
建物の外壁を構成し、建築現場で外部造作物が取り付けられる外壁パネルであって、
壁パネルと、この壁パネルの表面に前記外部造作物と取り合う位置に取り付けられて、壁パネルと外部造作物との接合部からの雨水の浸入を防止する水切りとを備え、
前記水切りと前記壁パネルの表面との接合部は防水処理され、前記壁パネルの表面には、サイディングが前記水切りの少なくとも一部を覆うように、かつ、前記外部造作物の基端部を前記水切りに挿入可能にして、前記水切りの外側に取り付けられ、
前記水切りは、上水切部材と、この上水切部材の両端部にそれぞれ連結される一対の側水切部材とを備え、
前記上水切部材は、壁パネルの表面に取り付けられる上水切取付部と、この上水切取付部の先端部に形成されて、外部造作物の基端部上縁部が挿入されることで、壁パネルと外部造作物との接合部からの雨水の浸入を防止する上水切部とを備え、
前記上水切部は前記サイディングの裏側に配置されていることを特徴とする外壁パネル。
【請求項２】
請求項１記載の外壁パネルにおいて、
前記側水切部材は、壁パネルの表面に取り付けられる側水切取付部と、この側水切取付部に形成されて、外部造作物の基端部側縁部が挿入されることで、壁パネルと外部造作物との接合部からの雨水の浸入を防止する側水切部とを備えていることを特徴とする外壁パネル。
【請求項３】
請求項１または２記載の外壁パネルにおいて、
前記水切りには、この水切りに前記外部造作物の基端部を挿入した際に、前記水切りと前記外部造作物の基端部とを隙間なく接合した状態にする弾性成型品が設けられていることを特徴とする外壁パネル。
【請求項４】
請求項１〜３のいずれか一項に記載の外壁パネルに外部造作物を取り付ける外部造作物の取付方法であって、
前記外壁パネルの壁パネルの表面に外部造作物を取り付けるとともに、この外部造作物の基端部を前記水切りに挿入し、
前記外部造作物の基端部上縁部は、上水切部材の上水切部に、サイディングの裏側に位置するようにして挿入し、
前記外部造作物の基端部側縁部は、側水切部材の側水切部に挿入することを特徴とする外部造作物の取付方法。
【発明の詳細な説明】
【０００１】
【発明の属する技術分野】
本発明は、外壁パネルと外壁パネルへの外部造作物の取付方法に関する。
【０００２】
【背景の技術】
周知のように、住宅の構築についてはその工業化が進み、例えば、壁や床、屋根といった構成要素を予め工場にてパネル化しておき、施工現場でこれらのパネルを組み立てることにより住宅を構築するといったパネル工法が一部に採用されている。近年、さらに工業化が進み、例えば、特開Ｈ１０−１０２７２６号公報に記載の技術で知られるように、予め壁パネルにサイディング（外装材）が貼設された状態で、建築現場に搬入する方法が進められ、現場での建築工数の削減、工期の短縮が図られている。
【０００３】
【発明が解決しようとする課題】
しかしながら、外壁面に、例えば、庇等の外方に突出する外部造作物を取り付ける際には、躯体である壁パネルに直接取り付けることが好ましく、また、壁パネルに雨水等が浸透しないように、庇等の外部造作物と壁パネルの接合部を防水シートや防水テープで覆って防水処理をする必要がある。このため、庇等の外部造作物に取り合う部分については、現場で外部造作物を取り付け、防水処理を行った後に、サイディングを貼設しなければならず、取付箇所周縁部については、サイディングの工場艤装を行うことが出来なかった。
【０００４】
また、予め、庇等の外方へ突出する外部造作物を工場等で壁パネルに取り付けた上で防水処理を施し、その上にサイディングを取り付ける方法も考えられるが、外壁パネルから外部造作物が突出した状態で、外壁パネルを搬送するものとした場合に、トラックへの積み込み量が形状により制限されたり、搬送中における外部造作物の損傷防止用の梱包に手間がかかるなどの問題点があり、外壁パネルに外部造作物を取り付けた状態で建築現場に搬入することは困難であった。
本発明は、上記事情に鑑みてなされたものであり、防水処理を必要とする外部造作物接合部において、現場における防水処理を省力化することができるとともに、外部造作物に取り合う部分のサイディングを工場で予め施すことができる外壁パネルおよび、この外壁パネルに外部造作物を取り付ける外部造作物の取付方法を提供することを目的とするものである。
【０００５】
【課題を解決するための手段】
上記目的を達成するために、請求項１記載の発明は、例えば図１および図２に示すように、建物の外壁を構成し、建築現場で外部造作物（例えば、庇３）が取り付けられる外壁パネル１において、壁パネル２と、この壁パネル２の表面に前記外部造作物３と取り合う位置に取り付けられて、壁パネル２と外部造作物３との接合部からの雨水の浸入を防止する水切り４とを備え、前記水切り４と前記壁パネル２の表面との接合部は防水処理され、前記壁パネル２の表面には、サイディング５が前記水切り４の少なくとも一部を覆うように、かつ、前記外部造作物３の基端部を前記水切り４に挿入可能にして、前記水切り４の外側に取り付けられ、
前記水切り４は、上水切部材１０と、この上水切部材１０の両端部にそれぞれ連結される一対の側水切部材２０とを備え、前記上水切り部材１０は、壁パネル２の表面に取り付けられる上水切取付部１１と、この上水切取付部１１の先端部に形成されて、外部造作物３の基端部上縁部７（図６参照）が挿入されることで、壁パネル２と外部造作物３との接合部からの雨水の浸入を防止する上水切部１２とを備え、
前記上水切部１２は前記サイディング５の裏側に配置されていることを特徴とする。
請求項２記載の発明は、請求項１記載の外壁パネル１において、例えば図２に示すように、前記側水切部材２０は、壁パネル２の表面に取り付けられる側水切取付部２１と、この側水切取付部２１に形成されて、外部造作物３の基端部側縁部８（図６参照）が挿入されることで、壁パネル２と外部造作物３との接合部からの雨水の浸入を防止する側水切部２２とを備えていることを特徴とする。
【０００６】
請求項１記載の発明によれば、壁パネル２の表面に外部造作物３と取り合う位置に水切り４が取り付けられ、この水切り４によって壁パネル２とこの壁パネル２に取り付けるべき外部造作物３との接合部からの雨水の浸入を防止し、さらに水切り４と壁パネル２の表面との接合部が防水処理されているので、外部造作物３の基端部を前記水切り４に挿入するとともに、壁パネル２の表面に外部造作物３を取り付けることにより、建築現場で外部造作物３の周縁部の防水処理作業を行う必要がなく、作業の省力化が行える。
【０００７】
また、壁パネル２の表面にサイディング５が水切り４の少なくとも一部を覆うようにして取り付けられており、しかも、上述したように、建築現場で外部造作物３の周縁部の防水作業を行う必要がないので、外部造作物３の周縁部に建築現場でサイディング５を貼設しなくてもよく、工場で外部造作物３の取付箇所周縁部についてもサイディング５を取り付けておくことができ、現場での工数の削減、工期の短縮につながる。
【０００８】
なお、外部造作物３は、外壁パネル１から外方に突出した状態に設けられる部材であって、勝手口等に取り付けられる庇３であってもよいし、図８に示すシャッターを収納するシャッターケース５０やフラワーボックス、出窓の部材などであってもよい。
【００１０】
請求項１および２記載の発明によれば、前記水切り４が上水切部材１０と、この上水切部材１０の両端部にそれぞれ連結される一対の側水切部材２０とからなるため、前記水切り４の製造が容易になる。すなわち、外部造作物３の基端部上縁部７に取り合うような上水切部材１０と、外部造作物３の基端部側縁部８に取り合うような側水切部材２０をそれぞれ製造すればよく、またそれぞれの規格をいくつか揃えることによって、外部造作物３の形状に合わせて、規格化された上水切部材１０と側水切部材２０との中から適切な組み合わせを選ぶことができ、様々な形状の外部造作物３に対応することができる。また、前記水切り４が上水切部材１０と前記上水切部材１０の両端に取り付けられる一対の側水切部材２０とからなるので、嵩張らずにこれらの部材を保管することができる。また、前記水切り４を壁パネル２に取り付ける際にも、その取り扱いが容易である。
【００１１】
また、壁パネル２の表面の外部造作物３と取り合う位置に上水切部材１０と側水切部材２０が取り付けられ、上水切部材１０の上水切部１２と側水切部材２０の側水切部２２によって壁パネル２とこの壁パネル２に取り付けるべき外部造作物３との接合部からの雨水の浸入が防止されている。
さらに、上水切部材１０の上水切取付部１１および側水切部材２０の側水切取付部２１と、壁パネル２の表面との接合部が防水処理されているので、外部造作物３の基端部上縁部７を上水切部１２に挿入し、外部造作物３の基端部側縁部８を側水切部２２に挿入するとともに、壁パネル２の表面に外部造作物３を取り付けることにより、建築現場で外部造作物３の周縁部の防水処理作業を行う必要がなく、作業の省力化が行える。
【００１２】
また、図６の（ｂ）および（ｃ）に示すように、壁パネル２の表面にサイディング５が上水切部材１０および側水切部材２０それぞれの少なくとも一部を覆うようにして取り付けられており、しかも、上述したように、建築現場で外部造作物３の周縁部の防水作業を行う必要がないので、外部造作物３の周縁部に建築現場でサイディング５を貼設しなくてもよく、工場で外部造作物３の取付箇所周縁部についてもサイディング５を取り付けておくことができ、現場での工数の削減、工期の短縮につながる。
【００１３】
請求項３記載の発明は、例えば図３に示すように、請求項１または２記載の外壁パネル１において、
前記水切り４には、この水切り４に前記外部造作３物の基端部を挿入した際に、前記水切り４と前記外部造作物３の基端部とを隙間なく接合した状態にする弾性成型品１５が設けられていることを特徴とする。
【００１４】
請求項３記載の発明によれば、水切り４に弾性成型品１５が設けられており、外部造作物３の基端部を水切り４に挿入した際に、弾性成型品１５によって密着されるため、外部造作物３の基端部から内部に雨水等が浸入することがない。
【００１５】
請求項４記載の発明は、請求項１〜３のいずれか一項に記載の外壁パネル１に外部造作物３を取り付ける外部造作物３の取付方法であって、
前記外壁パネル１の壁パネル２の表面に外部造作物３を取り付けるとともに、この外部造作物３の基端部を前記水切り４に挿入し、
前記外部造作物３の基端部上縁部７は、上水切部材１０の上水切部１２に、サイディング５の裏側に位置するようにして挿入し、
前記外部造作物３の基端部側縁部８は、側水切部材２０の側水切部２２に挿入することを特徴とする。
【００１６】
請求項４記載の発明によれば、外壁パネル１は、予め外部造作物３と取り合う位置に水切り４が取り付けられており、この水切り４によって壁パネル２とこの壁パネル２に取り付けるべき外部造作物３との接合部からの雨水の浸入が防止され、さらに水切り４と壁パネル２の表面との接合部が防水処理されているので、外部造作物３の基端部を前記水切り４に挿入するとともに、壁パネル２の表面に外部造作物３を取り付けることにより、建築現場で外部造作物３の周縁部の防水処理作業を行う必要がなく、作業の省力化が行える。
【００１７】
また、壁パネル２の表面にサイディング５が水切り４の少なくとも一部を覆うようにして取り付けられており、しかも、上述したように、建築現場で外部造作物３の周縁部の防水作業を行う必要がないので、外部造作物３の周縁部に建築現場でサイディング５を貼設しなくてもよく、工場で外部造作物３の取付箇所周縁部についてもサイディング５を取り付けておくことができ、現場での工数の削減、工期の短縮につながる。
【００１９】
また、壁パネル２の表面の外部造作物３と取り合う位置に上水切部材１０と側水切部材２０が取り付けられ、この上水切部１２と側水切部２２によって壁パネル２とこの壁パネル２に取り付けるべき外部造作物３との接合部からの雨水の浸入が防止されている。さらに、上水切取付部１１および側水切取付部２１と壁パネル２の表面との接合部が防水処理されているので、外部造作物３の基端部上縁部７を上水切部１２に挿入し、外部造作物３の基端部側縁部８を側水切部２２に挿入するとともに、壁パネル２の表面に外部造作物３を取り付けることにより、建築現場で外部造作物３の周縁部の防水処理作業を行う必要がなく、作業の省力化が行える。
【００２０】
また、壁パネル２の表面にサイディング５が上水切部材１０および側水切部材２０のそれぞれの少なくとも一部を覆うようにして取り付けられており、しかも、上述したように、建築現場で外部造作物３の周縁部の防水作業を行う必要がないので、外部造作物３の周縁部に建築現場でサイディング５を貼設しなくてもよく、工場で外部造作物３の取付箇所周縁部についてもサイディング５を取り付けておくことができ、現場での工数の削減、工期の短縮につながる。
【００２１】
【発明の実施の形態】
＜第１の実施の形態＞
以下、図面を参照して、本発明の外壁パネル１と、この外壁パネル１に外部造作物を取り付ける際の、外部造作物の取付方法の実施の形態を具体的に説明する。
なお、ここでは、外壁パネル１および外部造作物の取付方法の実施の形態の一例として、図１〜図７に示す外壁パネル１とこの外壁パネル１に外部造作物としての勝手口の庇３を取り付ける取付方法について説明する。
【００２２】
前記外壁パネル１は、壁パネル２と、壁パネル２の表面に取り付けられた水切り４と、壁パネルの表面に貼設されたサイディング５とを備えている。この壁パネル２は、住宅の壁面を構成する壁パネルであって、縦横の框材を矩形状に組み立てるとともに、矩形枠の内部に補助桟材を縦横に組み付け、框材と補助桟材との両面に面材が貼り付けられたものである。この壁パネル２の表面には防水透湿シート（図示略）がほぼ全面に貼り付けられている。
当該外壁パネル１は、住宅の勝手口取付箇所の外壁を構成するもので、庇３の取付箇所の下部には、図４および図７に示すように、勝手口を取り付けるための開口部３０が設けられており、この開口部３０に取り合うようにケーシング３１が取り付けられている。
【００２３】
前記水切り４は、壁パネル２の表面に庇３と取り合う位置に取り付けられて、壁パネル２と庇３との接合部からの雨水を浸入するものである。該水切り４は、図２および図３に示すように、上水切部材１０と、この上水切部材１０の両端にそれぞれ連結される一対の側水切部材２０とからなり、それぞれ塩化ビニル鋼板を折り曲げることによって形成されている。
【００２４】
上水切部材１０は、水平方向に長尺な部材で、壁パネル２の表面に取り付けられる上水切取付部１１と、上水切取付部１１の先端部に形成された上水切部１２と、上水切部１２の端部に設けられた端板部１３とから構成されている。
前記上水切部１２は、上水切取付部１１の先端部から略直角に立ち上がる立ち上がり片１２ａと、この立ち上がり片１２ａの先端部から垂直に垂れ下がるように折り曲げられた垂下片１２ｂと、垂下片１２ｂの下端部から裏側に折り返された折り返し片１２ｃとからなっている。
【００２５】
上水切部材１０の垂下片１２ｂと壁パネル２の表面との間に、庇３の基端部上縁部７を挿入するに十分な間隙１４が設けられている。
上水切部１２の内部にはエプトシーラー１５が設けられている。このエプトシーラー１５は、上水切部１２に庇３の基端部上縁部７が挿入されたときに、上水切部１２と庇３の基端部上縁部７とを隙間なく接合した状態にするものであり、エプトシーラー１５に限らず発泡系樹脂、発泡系合成ゴム等の弾性成型品を用いることができる。
また、前記端板部１３は、上水切部１２の端部開口を塞ぐようにして、該上水切部１２の端部に設けられたもので、図４の（ｃ）および（ｄ）に示すように、側水切部材２０の後述する側水切部２２の上端部と重なり合わせることができるようになっている。
【００２６】
前記側水切部材２０は、上下に長尺な部材で、壁パネル２の表面に取り付けられる側水切取付部２１と、側水切部２２とからなっている。側水切部２２は、図３の（ｂ）および（ｃ）に示すように、側水切取付部２１の上面に形成された二つの突片２２ａ、２２ｂと、この突片２２ａと２２ｂによって形成される凹溝２３とからなっている。また、側水切部材２０の下端部には、勝手口のケーシング３１に取り合うように、切欠部２５が形成されている（図２参照）。
側水切部材２０は、図４の（ａ）および（ｂ）に示すように、勝手口のケーシング３１に前記切欠部２５を合わせられてステンレス釘３２によって、壁パネル２に固定されている。
【００２７】
前記上水切部材１０は、図４の（ｃ）および（ｄ）に示すように、前記端板部１３を前記突片２２ｂの上端部を覆うように重ね合わせ、上水切取付部１１を壁パネル２にステンレス釘３２によって固定することにより、壁パネル２に取り付けられている。
このように、壁パネル２の表面の外部造作物である庇３に取り合う位置に取り付けられた水切り４と壁パネル２の表面との接合部は、図５に示すように防水テープ３４、３５によって防水処理が施されている。
すなわち、側水切取付部２１と壁パネル２との接合部および上水切取付部１１と壁パネル２との接合部には、防水テープ３４、３５がそれぞれ貼着されている。このとき、図５の（ｂ）に示すように、側水切取付部２１と壁パネル２との接合部を覆う防水テープ３４は、上水切取付部１１と壁パネル２との接合部を覆う防水テープ３５からはみ出さないようになっている。
【００２８】
以上のように、水切り４との接合部が防水処理された壁パネル２の表面には、所定間隔で複数取り付けられた長尺な胴縁９を介してサイディング５が取り付けられている。
このサイディング５は、壁パネル２の庇３の取付箇所と勝手口の開口部３０を除いて貼設されていると同時に、水切り４の一部を覆い、かつ、庇３の基端部を水切り４に挿入可能にして貼設されている。
【００２９】
すなわち、上水切部材１０は、サイディング５によって覆われているが、上水切部１２の下端と上水切部材１１を覆うサイディング５の下端の位置をほぼ等しく貼設することで、庇３の基端部上縁部７を挿入させることが可能である。また、側水切取付部２１は、サイディング５によって覆われ外壁パネル１の表側に露出されておらず、側水切部２２の突片２２ｂと、側水切取付部２１を覆うサイディング５の側端の位置がほぼ等しいので、前記凹溝２３に、庇３の基端部側縁部８を挿入することを可能にしている。
【００３０】
以上の構成を持つ外壁パネル１は、工場で施工され、建築現場に搬入される。
次に、外壁パネル１に庇３を取り付ける方法を説明する。ここで、庇３は、図１、図６および図７に示されるように、勝手口に取り付けられる三角庇であって、上水切部材１０に挿入可能で先端が略直角に折り曲げられている基端部上縁部７と、前記凹溝２３に挿入可能な基端部側縁部８を有している。図６の（ｃ）に示すように、前記基端部側縁部８の前記凹溝２３に接する面には、エプトシーラー８ａが貼付けられている。
【００３１】
外壁パネル１に当該庇３を取り付けるには、以下の手順に従う。
まず、図６の（ａ）に示すように、建築現場に搬入された外壁パネル１の庇取付部に、断面Ｌ字状の金具である庇受けアングル４０を取り付ける。次に、図６の（ｂ）に示すように、上水切部１２の垂下片１２ｂと壁パネル２の間に形成された間隙１４に庇３の基端部上縁部７を挿入しながら、庇受けアングル４０の上に庇３の内部に取り付けてある取付アングル４１を載せて仮止めの状態にする。
庇３を左右に調整しながら、図６の（ｃ）に示すように、左右の側水切部２２の突片２２ａ、２２ｂによって形成された凹溝２３に、庇３の基端部側縁部８を挿入し、庇受けアングル４０と庇３の内部に取り付けてある取付アングル４１をビスで固定する。このとき、前記凹溝２３と庇３の基端部側縁部８とは、前記基端部側縁部８に貼付けられているエプトシーラー８ａによって、側水切部材２０と庇３の基端部側縁部８が密着するように固定する。
【００３２】
次に、庇３の側面内部壁側にあるつば４２の下孔にネジ４３をねじ込み固定する。さらに、庇３の基端部上縁部７と壁パネル２をビスで固定する。その後、庇３の基端部上縁部７とサイディング５との間にシーリング材４５（図１参照）を充填する。
その後、不燃材４６（図１参照）を取り付け、勝手口庇軒天材４７（図１参照）を庇本体鼻先内側の隙間に差し込んで、ビスをねじ込み固定する。
以上のようにして、外壁パネル１に庇３が図７に示すように取り付けられる。
【００３３】
本実施の形態によれば、壁パネル２の表面に庇３と取り合う位置に上水切部材１０および側水切部材２０が取り付けられ、この上水切部材１０および側水切部材２０によって壁パネル２と庇３との接合部からの雨水の浸入を防止し、さらに上水切部材１０および側水切部材２０と壁パネル２の表面との接合部はそれぞれ防水テープ３４、３５によって防水処理が施されているので、庇３の基端部を前記上水切部材１０及び側水切部材２０に挿入するとともに、壁パネル２の表面に庇３を取り付けることにより、建築現場で庇３の周縁部の防水処理作業を行う必要がなく、作業の省力化が行える。
【００３４】
また、壁パネル２の表面にサイディング５が上水切部材１０を覆うとともに、側水切部材２０の一部を覆うようにして取り付けられており、しかも、上述したように、建築現場で庇３の周縁部の防水作業を行う必要がないので、庇３の周縁部に建築現場でサイディング５を貼設しなくてもよく、工場で庇３の取付箇所周縁部についてもサイディング５を取り付けておくことができるので、現場での工数の削減、工期の短縮につながる。
【００３５】
また、上水切部１２の端部に設けられた端板部１３と、側水切部２２の突片２２ｂの上端部が重ね合わされて、上水切部材１０の両端部に一対の側水切部材２０がそれぞれ連結されているので、上水切部１２と側水切部２２の連結部から雨水等の浸入を防止することができる。
【００３６】
上水切部１２は、垂下片１２ｂと壁パネル２との間に間隙１４を有するので、庇３を壁パネル２に取り付ける際に、上水切部１２に庇３の基端部上縁部７を挿入しやすい。また、側水切部２２は、突片２２ａと突片２２ｂとからなっているので、庇３の基端部上縁部７を前記間隙１４に挿入したまま、庇３の基端部側縁部８を突片２２ａと２２ｂによって形成された凹溝２３に挿入することが容易である。
【００３７】
上水切部材１０はサイディングによって覆われているので、外壁パネル１の表側に露出せず、側水切部材２０は、側水切取付部２１は、サイディング５によって覆われており、庇３の基端部側縁部８が挿入されることによって、側水切部２２の突片２２ａは外壁パネル１の表側に露出せず、また、突片２２ｂはサイディング５に取り合っているので、水切り４は外壁パネル１の外側に露出しない。このため、外壁パネル１に庇３を秀麗に取り付けることができる。
また、上水切部１２と外壁パネル１との間にシーリング材４５が充填されているので、上水切部材１０と外壁パネル１との間に雨水が浸入することがない。さらに、上水切部１２の内部にはエプトシーラー１５が設けられており、庇３の基端部上縁部７を上水切部１２に挿入した際に、エプトシーラー１５によって密着されるため、庇３の基端部上縁部７から内部に雨水等が浸入することがない。
【００３８】
側水切部２２は、庇３の基端部側縁部８が、基端部側縁部８に貼付けられたエプトシーラー８ａを介して、凹溝２３に固定され、前記エプトシーラー８ａによって隙間無く接合されているので、庇３の基端部側縁部８から庇３の内部に雨水等が浸入することはない。
【００３９】
なお、本発明は上記第一の実施の形態に限定されるものではなく、適宜変更可能であることは勿論である。例えば、本実施の形態では、上水切部１２は、立ち上がり片１２ａと、垂下片１２ｂと、折り返し片１２ｃとからなっているが、折り返し片１２ｃは特に設けなくてもよい。
また、上水切部１２の形状を側水切部２２と同様にして、上水切取付部１１に二つの突片を設けることによって、壁パネル２と庇３との接合部からの雨水の浸入を防止し、かつ、庇３の基端部上縁部７を挿入できるようにしてもよい。
また、側水切部２２は、本実施の形態では、側水切取付部２１に設けられた二つの突片２２ａ、２２ｂからなっているが、上水切部１２と同様に、側水切部２２を立ち上がり片と、垂下片と、折り返し片とから構成し、壁パネル２と外部造作物との接合部からの雨水の浸入を防止するとともに、庇３の基端部側縁部８を挿入できるようにしてもよい。このとき、折り返し片は特に設けなくてもよい。
【００４０】
上水切部材１０および側水切部材２０は、それぞれ塩化ビニル鋼板を折り曲げることによって形成されているが、塩化ビニル鋼板に限ったものではなく、防錆処理が施された鋼板やアルミニウム等の金属やＦＲＰ、ポリカーボネート、硬質塩化ビニル樹脂等の合成樹脂等も使用することができる。
サイディング５は、例えば軽量気泡コンクリートなどからなるもので耐水性、耐候性等にも優れたものであるが、その他にもモルタル板や釉薬を塗布して焼成したセラミックボードなど種々な外装材の板材を壁パネルに貼設することができる。
【００４１】
＜第２の実施の形態＞
次に、本発明の第２の実施の形態について図８に基づいて説明する。第２の実施の形態が、第１の実施の形態と異なる点は、外壁パネル１に外部造作物としてシャッターケース５０を取り付けた点である。以下にこの相違点について詳しく説明し、第１の実施の形態と共通構成部分には、同一符号を付してその説明を省略する。
【００４２】
本第２の実施の形態にかかる外壁パネル１は、第１の実施の形態にかかる外壁パネル１と同様に、シャッターケース５０に取り合うように、上水切部材１０と側水切部材（図示略）が壁パネル２に取り付けられ、上水切取付部１１と壁パネル２との表面の接合部が防水テープ３５により防水処理されている。特に図示していないが、勿論、側水切取付部と壁パネルとの表面の接合部も防水テープにより防水処理されている。
【００４３】
サイディング５は、上水切部材１０を覆い、側水切部材の一部を覆うように、かつ、シャッターケース５０の基端部を挿入可能にして、壁パネル２に貼設されている。
壁パネル２のシャッターケース５０の取り付け箇所には、シャッターケース５０を取り付けるための専用支持板５１がネジ５２で壁パネル２に固定されている。この専用支持板５１は、上下に長尺な支持板であって、この専用支持板５１の上端部と下端部には上向きに突起したフック５３、５３が設けられており、シャッターケース５０の壁側取付面には、前記フック５３、５３に係合する係合穴５４、５４が設けられている。
【００４４】
外壁パネル１にシャッターケース５０を取り付けるに際しては、シャッターケース５０の基端部上縁部５５を上水切部材１０に挿入するとともに、専用支持板５１に設けられたフック５３が係合穴５４に係合するようシャッターケース５０をフック５３，５３に支持させる。シャッターケース５０を左右に調整しながら、左右の側水切部凹溝（図示略）に、シャッターケース５０の基端部側縁部（図示略）を挿入し、Ｌ字状の金具である専用アングル材５６を介して、ネジ５７、５７で、シャッターケース壁側取り付け面の上部及び中央部を固定する。このとき、前記凹溝とシャッターケース５０の基端部側縁部との間にエプトシーラー（図示略）を挟み込み、側水切部材とシャッターケース５０の基端部側縁部が密着するようにし、止着材をねじ込みまたは打ち込むことによって固定する。
【００４５】
その後、サイディング５とシャッターケース５０の上縁部の間隙にシーリング材５８を充填し、サイディング５とシャッターケース５との間に雨水等が浸入しないようにする。
【００４６】
本第二の実施の形態によれば、壁パネル２の表面にシャッターケース５０と取り合う位置に上水切部材１０および側水切部材が取り付けられ、この上水切部材１０および側水切部材によって壁パネル２とシャッターケース５０との接合部からの雨水の浸入を防止し、さらに上水切部材１０および側水切部材２０と壁パネル２の表面との接合部はそれぞれ防水テープ３５によって防水処理が施されているので、シャッターケース５０の基端部を前記上水切部材１０及び側水切部材に挿入するとともに、壁パネル２の表面にシャッターケース５０を取り付けることにより、建築現場でシャッターケース５０の周縁部の防水処理作業を行う必要がなく、作業の省力化が行える。
【００４７】
また、壁パネル２の表面にサイディング５が上水切部材１０を覆うとともに、側水切部材の一部を覆うようにして貼設されており、しかも、上述したように、建築現場でシャッターケース５０の周縁部の防水作業を行う必要がないので、シャッターケース５０の周縁部に建築現場でサイディング５を貼設しなくてもよく、工場でシャッターケース５０の取付箇所周縁部についてもサイディング５を取り付けておくことができるので、現場での工数の削減、工期の短縮につながる。
【００４８】
また、上水切部１２の端部に設けられた端板部（図示略）と、側水切部（図示略）の端部とが重ね合わされて、上水切部材１０と側水切部材２０とが連結されているので、上水切部１２と側水切部の連結部から雨水等の浸入を防止することができる。
上水切部材１０はサイディング５によって覆われているので、外壁パネル１の表側に露出せず、側水切部材の側水切取付部はサイディング５によって覆われており、側水切部にシャッターケース５０の基端部側縁部が挿入されることによって、側水切部の突片は外壁パネル１の表側に露出しない。このため、外壁パネル１にシャッターケース５０を秀麗に取り付けることができる。
なお、本発明は上記第二の実施の形態に限定されるものではなく、適宜変更可能であることは勿論である。
【００４９】
【発明の効果】
請求項１、２および４記載の発明によれば、壁パネルの表面に外部造作物と取り合う位置に水切りが取り付けられ、この水切りによって壁パネルとこの壁パネルに取り付けるべき外部造作物との接合部からの雨水の浸入を防止し、さらに水切りと壁パネルの表面との接合部が防水処理されているので、外部造作物の基端部を前記水切りに挿入するとともに、壁パネルの表面に外部造作物を取り付けることにより、建築現場で外部造作物の周縁部の防水処理作業を行う必要がなく、作業の省力化が行える。
【００５０】
また、壁パネルの表面にサイディングが水切りの少なくとも一部を覆うようにして取り付けられており、しかも、上述したように、建築現場で外部造作物の周縁部の防水作業を行う必要がないので、外部造作物の周縁部に建築現場でサイディングを貼設しなくてもよく、工場で外部造作物の取付箇所周縁部についてもサイディングを取り付けておくことができ、現場での工数の削減、工期の短縮につながる。
【００５１】
また、前記水切りが上水切部材と、この上水切部材の両端部にそれぞれ連結される一対の側水切部材とからなるため、前記水切りの製造が容易になる。すなわち、外部造作物の基端部上縁部に取り合うような上水切部材と、外部造作物の基端部側縁部に取り合うような側水切部材をそれぞれ製造すればよく、またそれぞれの規格をいくつか揃えることによって、外部造作物の形状に合わせて、規格化された上水切部材と側水切部材との中から適切な組み合わせを選ぶことによって、様々な外部造作物に対応することができる。また、前記水切りが上水切部材と前記上水切部材の両端に取り付けられる一対の側水切部材とからなるので、嵩張らずにこれらの部材を保管することができる。また、前記水切りを壁パネルに取り付ける際にも、その取り扱いが容易である。
【００５２】
請求項３記載の発明によれば、水切りに弾性成型品が設けられており、外部造作物の基端部を水切りに挿入した際に、弾性成型品によって密着されるため、外部造作物の基端部から内部に雨水等が浸入することがない。
【図面の簡単な説明】
【図１】本発明の第一の実施形態における外壁パネルとこの外壁パネルに外部造作物を取り付けた状態を示す断面図である。
【図２】本発明の第一の実施形態における上水切部材と側水切部材を示した平面図である。
【図３】本発明の第一の実施形態における上水切部材と側水切部材の側断面図である。
【図４】本発明の第一の実施の形態における上水切部材と側水切部材とを壁パネルに取り付ける工程を順に示した斜視図である。
【図５】本発明の第一の実施形態における上水切部材と側水切部材と壁パネルの接合部の防水処理を示した斜視図と平面図である。
【図６】本発明の第一の実施形態における外壁パネルと外部造作物の取付方法を示した平面図および断面図である。
【図７】本発明の第一の実施形態における外壁パネルと外部造作物を示した斜視図である。
【図８】本発明の第二の実施形態における外壁パネルと外部造作物を示した側断面図である。
【符号の説明】
１    外壁パネル
２    壁パネル
３    庇（外部造作物）
４    水切り
５    サイディング
１０  上水切部材
１１  上水切取付部
１２  上水切部
２０  側水切部材
２１  側水切取付部
２２  側水切部
１３  端板部
５０  シャッターケース（外部造作物）
【図１】
0004782945.tif 000002
【図２】
0004782945.tif 000003
【図３】
0004782945.tif 000004
【図４】
0004782945.tif 000005
【図５】
0004782945.tif 000006
【図６】
0004782945.tif 000007
【図７】
0004782945.tif 000008
【図８】
0004782945.tif 000009